(57)【要約】【課題】ワイパ駆動制御装置、ワイパ駆動制御方法及びコンピュータプログラムを提供する。【解決手段】雨滴量を検知する検知センサの感度設定が可能であり、設定された感度にて検知センサにより検知された雨滴量に応じて、車両が備えるワイパの駆動を制御するワイパ駆動制御装置であって、車両が左折又は右折する可能性を判断する判断部と、判断部にて車両が左折又は右折する可能性があると判断した場合、設定された感度よりも高くなるように検知センサの感度を変更する感度変更部とを備える。【選択図】図４
2018127063.tif 000002
【特許請求の範囲】
【請求項１】
雨滴量を検知する検知センサの感度設定が可能であり、設定された感度にて前記検知センサにより検知された雨滴量に応じて、車両が備えるワイパの駆動を制御するワイパ駆動制御装置であって、
前記車両が左折又は右折する可能性を判断する判断部と、
該判断部にて前記車両が左折又は右折する可能性があると判断した場合、前記設定された感度よりも高くなるように前記検知センサの感度を変更する感度変更部と
を備えるワイパ駆動制御装置。
【請求項２】
前記検知センサにより検知された雨滴量に応じて、払拭頻度が異なる複数の払拭方式から一の払拭方式を選択する選択部
を備え、
該選択部が選択した一の払拭方式にて前記ワイパを駆動する
請求項１に記載のワイパ駆動制御装置。
【請求項３】
前記車両の操舵角、方向指示器の動作状態、前記車両の位置情報、及び走行予定経路のうちの少なくとも１つを含む走行情報を取得する走行情報取得部
を備え、
前記判断部は、前記走行情報取得部が取得した走行情報に基づき、前記車両が左折又は右折する可能性を判断する
請求項１又は請求項２に記載のワイパ駆動制御装置。
【請求項４】
前記車両の進行方向の画像を取得する画像取得部
を備え、
前記判断部は、前記画像取得部が取得した画像に基づき、前記車両が左折又は右折する可能性を判断する
請求項１又は請求項２に記載のワイパ駆動制御装置。
【請求項５】
前記車両に乗車している乗員の行動に係る情報を取得する行動情報取得部
を備え、
前記判断部は、前記行動情報取得部が取得した情報に基づき、前記車両が左折又は右折する可能性を判断する
請求項１又は請求項２に記載のワイパ駆動制御装置。
【請求項６】
前記車両の走行経路上の交通情報を取得する交通情報取得部と、
該交通情報取得部が取得した交通情報に基づき、前記車両の進行方向における交通流の多少を判定する交通流判定部と
を備え、
前記感度変更部は、前記交通流判定部の判定結果に基づき、前記検知センサの感度の変更を禁止すべきか否かを判断する
請求項１から請求項５の何れか１つに記載のワイパ駆動制御装置。
【請求項７】
前記感度変更部は、前記車両の左折後又は右折後に、変更後の感度を変更前の感度に戻す
請求項１から請求項６の何れか１つに記載のワイパ駆動制御装置。
【請求項８】
前記感度変更部にて前記検知センサの感度を変更した場合、感度を変更した旨の情報を出力する出力部
を備える請求項１から請求項７の何れか１つに記載のワイパ駆動制御装置。
【請求項９】
雨滴量を検知する検知センサの感度設定が可能であり、設定された感度にて前記検知センサにより検知された雨滴量に応じて、車両が備えるワイパの駆動を制御するワイパ駆動制御方法であって、
前記車両が左折又は右折する可能性を判断し、
前記車両が左折又は右折する可能性があると判断した場合、前記設定された感度よりも高くなるように前記検知センサの感度を変更する
ワイパ駆動制御方法。
【請求項１０】
雨滴量を検知する検知センサの感度設定が可能であり、設定された感度にて前記検知センサにより検知された雨滴量に応じて、車両が備えるワイパの駆動を制御するコンピュータに、
前記車両が左折又は右折する可能性を判断し、
前記車両が左折又は右折する可能性があると判断した場合、前記設定された感度よりも高くなるように前記検知センサの感度を変更する
処理を実行させるためのコンピュータプログラム。
【発明の詳細な説明】
【技術分野】
【０００１】
本発明は、ワイパ駆動制御装置、ワイパ駆動制御方法及びコンピュータプログラムに関する。
【背景技術】
【０００２】
従来、車両には、降雨時にフロントガラスの雨滴を払拭するためのワイパが備えられている。また近年では、雨滴を検知するセンサを利用して、降雨時にワイパを自動的に動作させる機能、いわゆるオートワイパ機能が設けられた車両が存在する（例えば、特許文献１を参照）。
【先行技術文献】
【特許文献】
【０００３】
【特許文献１】特開平６−９９７９０号公報
【発明の概要】
【発明が解決しようとする課題】
【０００４】
オートワイパ機能が有効である場合、ワイパが動作するタイミングは雨滴を検知するセンサの検知結果に依存するため、乗員が意図していないタイミングでワイパが動作することがある。一方、雨滴を検知するセンサの感度を下げることにより、ワイパの動作を制限することが可能であるが、センサの感度を下げた状態では、例えば車両の左折時や右折時等の視野の確保が必要な状況下において、ワイパが動作しない可能性がある。
【０００５】
本発明の目的は、オートワイパ機能が有効となっている場合において、左折時又は右折時等の視野を確保すべき状況下でワイパを駆動させることができるワイパ駆動制御装置、ワイパ駆動制御方法及びコンピュータプログラムを提供することにある。
【課題を解決するための手段】
【０００６】
本態様に係るワイパ駆動制御装置は、雨滴量を検知する検知センサの感度設定が可能であり、設定された感度にて前記検知センサにより検知された雨滴量に応じて、車両が備えるワイパの駆動を制御するワイパ駆動制御装置であって、前記車両が左折又は右折する可能性を判断する判断部と、該判断部にて前記車両が左折又は右折する可能性があると判断した場合、前記設定された感度よりも高くなるように前記検知センサの感度を変更する感度変更部とを備える。
【０００７】
本態様に係るワイパ駆動制御方法は、雨滴量を検知する検知センサの感度設定が可能であり、設定された感度にて前記検知センサにより検知された雨滴量に応じて、車両が備えるワイパの駆動を制御するワイパ駆動制御方法であって、前記車両が左折又は右折する可能性を判断し、前記車両が左折又は右折する可能性があると判断した場合、前記設定された感度よりも高くなるように前記検知センサの感度を変更する。
【０００８】
本態様に係るコンピュータプログラムは、雨滴量を検知する検知センサの感度設定が可能であり、設定された感度にて前記検知センサにより検知された雨滴量に応じて、車両が備えるワイパの駆動を制御するコンピュータに、前記車両が左折又は右折する可能性を判断し、前記車両が左折又は右折する可能性があると判断した場合、前記設定された感度よりも高くなるように前記検知センサの感度を変更する処理を実行させるためのコンピュータプログラムである。
【発明の効果】
【０００９】
上記によれば、オートワイパ機能が有効となっている場合において、左折時又は右折時等の車両前方の視野を確保すべきタイミングでワイパを動作させることができる。
【図面の簡単な説明】
【００１０】
【図１】実施の形態１に係るワイパ駆動制御装置の適用例を示す模式図である。
【図２】ワイパ駆動制御装置の内部構成を説明するブロック図である。
【図３】払拭レベルと払拭頻度との関係を記憶するテーブルの一例を示す模式図である。
【図４】実施の形態１に係るワイパ駆動制御装置が実行する処理の手順を説明するフローチャートである。
【図５】実施の形態２に係るワイパ駆動制御装置が実行する処理の手順を説明するフローチャートである。
【図６】実施の形態３に係るワイパ駆動制御装置の動作を説明する説明図である。
【図７】実施の形態３に係るワイパ駆動制御装置が実行する処理の手順を説明するフローチャートである。
【発明を実施するための形態】
【００１１】
本発明の実施態様を列記して説明する。また、以下に記載する実施形態の少なくとも一部を任意に組み合わせてもよい。
【００１２】
本願の一態様に係るワイパ駆動制御装置は、雨滴量を検知する検知センサの感度設定が可能であり、設定された感度にて前記検知センサにより検知された雨滴量に応じて、車両が備えるワイパの駆動を制御するワイパ駆動制御装置であって、前記車両が左折又は右折する可能性を判断する判断部と、該判断部にて前記車両が左折又は右折する可能性があると判断した場合、前記設定された感度よりも高くなるように前記検知センサの感度を変更する感度変更部とを備える。
【００１３】
上記一態様にあっては、車両が左折又は右折する可能性がある場合、検知センサの感度を一時的に高くする感度調整を行う。この結果、検知センサにより雨滴が検知され易くなるので、雨が降り始めた際のワイパの駆動開始タイミングを早めることができる。また、検知センサにより検知される雨滴量が多くなる程、より払拭頻度が高い払拭方式を選択してワイパを駆動する場合、車両の左折時又は右折時においてワイパによりフロントウインドを払拭する回数を増やすことができ、車両前方の視野を確保することができる。
【００１４】
本願の一態様に係るワイパ駆動制御装置は、前記検知センサにより検知された雨滴量に応じて、払拭頻度が異なる複数の払拭方式から一の払拭方式を選択する選択部を備え、該選択部が選択した一の払拭方式にて前記ワイパを駆動する。
【００１５】
上記一態様にあっては、検知センサにより検知された雨滴量が多くなる程、払拭頻度が高くなる払拭方式を選択することができ、降雨量に適した払拭頻度でワイパを駆動することができる。
【００１６】
本願の一態様に係るワイパ駆動制御装置は、前記車両の操舵角、方向指示器の動作状態、前記車両の位置情報、及び走行予定経路のうちの少なくとも１つを含む走行情報を取得する走行情報取得部を備え、前記判断部は、前記走行情報取得部が取得した走行情報に基づき、前記車両が左折又は右折する可能性を判断する。
【００１７】
上記一態様にあっては、取得した走行情報に基づいて、例えば、操舵角が設定された閾値角度以上であると判断した場合、方向指示器が点灯したことを検知した場合、左折路又は右折路を走行する予定であると判断した場合、車両が左折又は右折する可能性があると判断することができる。
【００１８】
本願の一態様に係るワイパ駆動制御装置は、前記車両の進行方向の画像を取得する画像取得部を備え、前記判断部は、前記画像取得部が取得した画像に基づき、前記車両が左折又は右折する可能性を判断する。
【００１９】
上記一態様にあっては、車両の進行方向の画像を取得し、取得した画像に基づいて、例えば左折レーン又は右折レーンを走行していると判断した場合、車両が左折又は右折する可能性があると判断することができる。
【００２０】
本願の一態様に係るワイパ駆動制御装置は、前記車両に乗車している乗員の行動に係る情報を取得する行動情報取得部を備え、前記判断部は、前記行動情報取得部が取得した情報に基づき、前記車両が左折又は右折する可能性を判断する。
【００２１】
上記一態様にあっては、取得した行動情報に基づいて、方向指示器を操作する行動、ステアリングホイールを所定角度以上回動させる行動を検知した場合、車両が左折又は右折する可能性があると判断することができる。
【００２２】
本願の一態様に係るワイパ駆動制御装置は、前記車両の走行経路上の交通情報を取得する交通情報取得部と、該交通情報取得部が取得した交通情報に基づき、前記車両の進行方向における交通流の多少を判定する交通流判定部とを備え、前記感度変更部は、前記交通流判定部の判定結果に基づき、前記検知センサの感度の変更を禁止すべきか否かを判断する。
【００２３】
上記一態様にあっては、走行方向における交通流が少ない場合、検知センサの感度を禁止することができ、乗員が意図していないタイミングでのワイパの動作を抑制することができる。
【００２４】
本願の一態様に係るワイパ駆動制御装置は、前記感度変更部は、前記車両の左折後又は右折後に、変更後の感度を変更前の感度に戻す。
【００２５】
上記一態様にあっては、車両の左折後又は右折後に、変更後の感度を変更前の感度に戻すので、乗員が意図していないタイミングでのワイパの動作を抑制することができる。
【００２６】
本願の一態様に係るワイパ駆動制御装置は、前記感度変更部にて前記検知センサの感度を変更した場合、感度を変更した旨の情報を出力する出力部を備える。
【００２７】
上記一態様にあっては、検知センサの感度を変更した場合、その旨を乗員に報知することができる。
【００２８】
本願の一態様に係るワイパ駆動制御方法は、雨滴量を検知する検知センサの感度設定が可能であり、設定された感度にて前記検知センサにより検知された雨滴量に応じて、車両が備えるワイパの駆動を制御するワイパ駆動制御方法であって、前記車両が左折又は右折する可能性を判断し、前記車両が左折又は右折する可能性があると判断した場合、前記設定された感度よりも高くなるように前記検知センサの感度を変更する。
【００２９】
上記一態様にあっては、車両が左折又は右折する可能性がある場合、検知センサの感度を一時的に高くする感度調整を行う。この結果、検知センサにより雨滴が検知され易くなるので、雨が降り始めた際のワイパの駆動開始タイミングを早めることができる。また、検知センサにより検知される雨滴量が多くなる程、より払拭頻度が高い払拭方式を選択してワイパを駆動する場合、車両の左折時又は右折時においてワイパによりフロントウインドを払拭する回数を増やすことができ、車両前方の視野を確保することができる。
【００３０】
本願の一態様に係るコンピュータプログラムは、雨滴量を検知する検知センサの感度設定が可能であり、設定された感度にて前記検知センサにより検知された雨滴量に応じて、車両が備えるワイパの駆動を制御するコンピュータに、前記車両が左折又は右折する可能性を判断し、前記車両が左折又は右折する可能性があると判断した場合、前記設定された感度よりも高くなるように前記検知センサの感度を変更する処理を実行させるためのコンピュータプログラムである。
【００３１】
上記一態様にあっては、車両が左折又は右折する可能性がある場合、検知センサの感度を一時的に高くする感度調整を行う。この結果、検知センサにより雨滴が検知され易くなるので、雨が降り始めた際のワイパの駆動開始タイミングを早めることができる。また、検知センサにより検知される雨滴量が多くなる程、より払拭頻度が高い払拭方式を選択してワイパを駆動する場合、車両の左折時又は右折時においてワイパによりフロントウインドを払拭する回数を増やすことができ、車両前方の視野を確保することができる。
【００３２】
以下、本発明をその実施の形態を示す図面に基づいて具体的に説明する。
（実施の形態１）
図１は実施の形態１に係るワイパ駆動制御装置の適用例を示す模式図である。実施の形態１に係るワイパ駆動制御装置１００は、車両Ｃに設けられており、フロントウインドに付着した雨滴を払拭するワイパ１３０の駆動制御を行う。また、車両Ｃのフロントウインドには、フロントウインドに付着した雨滴量を検知するためのレインセンサ１１３が設けられており、レインセンサ１１３による検知結果はワイパ駆動制御装置１００へ出力される。
【００３３】
ワイパ駆動制御装置１００は、レインセンサ１１３により検知された雨滴量に応じて、ワイパ１３０の払拭頻度を自動的に調整する機能を有する。本実施の形態では、車両Ｃが左折又は右折する可能性がある場合、ワイパ１３０の払拭頻度が一時的に高くなるように、レインセンサ１１３の感度を一時的に変更することを特徴の１つとしている。
【００３４】
図２はワイパ駆動制御装置１００の内部構成を説明するブロック図である。実施の形態１に係るワイパ駆動制御装置１００は、例えば、制御部１０１、記憶部１０２、入力部１０３、出力部１０４、車内通信部１０５、及び車外通信部１０６を備える。
【００３５】
制御部１０１は、例えばＣＰＵ（Central Processing Unit）、ＲＯＭ（Read Only Memory）、ＲＡＭ（Random Access Memory）などを備える。制御部１０１が備えるＣＰＵは、ＲＯＭ又は記憶部１０２に記憶されている制御プログラムを実行することにより、ハードウェア各部の動作を制御し、本実施の形態に係るワイパ駆動制御等を実行する。
【００３６】
なお、制御部１０１は、上記の構成に限定されるものではなく、シングルコアＣＰＵ、マルチコアＣＰＵ、マイコン、揮発性又は不揮発性のメモリ等を含む１又は複数の処理回路であればよい。また、制御部１０１は、日時情報を出力するクロック、計測開始指示を与えてから計測終了指示を与えるまでの経過時間を計測するタイマ、数をカウントするカウンタ等の機能を備えていてもよい。
【００３７】
記憶部１０２は、ＥＥＰＲＯＭ（Electrically Erasable Programmable ROM）、フラッシュメモリ等の不揮発性メモリである。記憶部１０２は、例えばワイパ１３０を駆動制御するために必要な制御プログラムやデータを記憶する。記憶部１０２が記憶するデータには、レインセンサ１１３について設定された感度、ワイパ１３０の駆動モード等の情報が含まれる。
【００３８】
入力部１０３は、各種スイッチ、センサ、機器等を接続するための入力インタフェースを備え、接続された各種スイッチ、センサ、機器等から各種情報を取得する。入力部１０３には、例えば、ワイパスイッチ１１１、感度設定スイッチ１１２、レインセンサ１１３、車速センサ１１４、ウインカスイッチ１１５、操舵角センサ１１６、ナビゲーション装置１１７、車内カメラ１１８、車外カメラ１１９等が接続される。
【００３９】
ワイパスイッチ１１１は、ワイパ１３０の駆動及び駆動停止の切り替え、並びにワイパ１３０を駆動させる際の駆動モードの切り替えを行うためのスイッチである。ワイパスイッチ１１１の操作により、ワイパ１３０の駆動モードが切り替えられた場合、又はワイパ１３０の駆動が停止された場合、ワイパスイッチ１１１の操作情報が入力部１０３に入力される。
【００４０】
本実施の形態では、ワイパ１３０の駆動モードに関して、マニュアルモードとオートモードとを備える。マニュアルモードが選択されている場合、ワイパ駆動制御装置１００は、一定の払拭頻度でワイパ１３０を継続的に駆動する。一方、オートモードが選択されている場合、ワイパ駆動制御装置１００は、レインセンサ１１３にて検知された雨滴量等に応じて、払拭頻度が異なる複数の払拭レベル（払拭方式）のうちから一の払拭レベルを選択し、選択した払拭レベルにてワイパ１３０を駆動する。ここで、ワイパ１３０の払拭頻度は、例えば単位時間あたりの払拭回数により規定される。
【００４１】
図３は払拭レベルと払拭頻度との関係を記憶するテーブルの一例を示す模式図である。図３のテーブルでは、払拭レベル１で最も払拭頻度が低く、払拭レベル５で最も払拭頻度が高くなるように、払拭レベルと払拭頻度と間の関係が規定されている。このようなテーブルは、例えば記憶部１０２に記憶される。制御部１０１は、オートモードが選択されている場合、記憶部１０２に記憶されたテーブルを参照し、払拭レベルに応じて払拭頻度を決定し、決定した払拭頻度にてワイパ１３０の駆動を行う。例えば、制御部１０１は、レインセンサ１１３により検知された雨滴量が多い程、払拭頻度が高い払拭レベル（例えば払拭レベル４又は払拭レベル５）を選択してワイパ１３０の駆動を行うことが可能である。また、制御部１０１は、車速センサ１１４により計測される車速に応じて、払拭レベルを選択し、選択した払拭レベルにてワイパ１３０を駆動してもよい。例えば、車両Ｃの停止中は、走行中と比較して視野の確保が必要ではないため、払拭頻度が低い払拭レベル（例えば払拭レベル１）を選択してワイパ１３０の駆動を行うことが可能である。
【００４２】
感度設定スイッチ１１２は、レインセンサ１１３の感度を変更するためのスイッチである。感度設定スイッチ１１２の操作により、レインセンサ１１３の感度が変更された場合、感度設定スイッチ１１２の操作情報が入力部１０３に入力される。感度設定スイッチ１１２によりレインセンサ１１３の感度を高く設定した場合には、感度を低く設定した場合と比較して、雨滴がレインセンサ１１３により検知され易くなり、かつ同一の雨量であってもレインセンサ１１３にて検知される雨滴量は多くなる。上述の如く、オートモードでは、レインセンサ１１３により検知された雨滴量が多い程、払拭頻度が高い払拭レベルが選択されるので、レインセンサ１１３の感度を高くした場合、ワイパ１３０の駆動開始タイミングが早まり、しかもワイパ１３０の払拭頻度は高くなる。
【００４３】
レインセンサ１１３は、例えば車両Ｃのフロントウインドの上部に設けられ、フロントウインドに付着した雨滴量を検知し、検知結果をワイパ駆動制御装置１００へ出力する。レインセンサ１１３は、例えば光学式のセンサであり、発光素子及び受光素子を備える。レインセンサ１１３は、発光素子からフロントウインドへ基準光を出射して、フロントウインドによって反射される反射光を受光素子にて受光する。フロントウインドに雨滴が付着していなければ、発光素子からの基準光はフロントウインドによって全反射される。一方、フロントウインドに雨滴が付着していれば、発光素子からの基準光はフロントウインドを透過する。レインセンサ１１３は、感度設定スイッチ１１２によって設定された感度と、基準光に対する反射光の減衰の度合いとに基づき、雨滴量を検知することができる。
なお、レインセンサ１１３は光学式のセンサに限らず、静電容量式のレインセンサ、画像処理技術を用いたレインセンサ等であってもよい。
【００４４】
車速センサ１１４は、車両Ｃの走行速度（車速）を計測するセンサである。車速センサ１１４は、計測した車速をワイパ駆動制御装置１００へ出力する。
【００４５】
ウインカスイッチ１１５は、車両Ｃが備える左右のウインカの点灯及び消灯を切り替えるためのスイッチである。ウインカスイッチ１１５の操作により、ウインカの点灯及び消灯が切り替えられた場合、ウインカスイッチ１１５の操作情報が入力部１０３に入力される。
【００４６】
操舵角センサ１１６は、車両Ｃが備えるステアリングホイール（不図示）の回転角度を検出し、検出した回転角度（操舵角）の情報をワイパ駆動制御装置１００へ出力する。
【００４７】
ナビゲーション装置１１７は、車両Ｃの乗員へナビゲーション情報を提供する装置であり、ＧＰＳ信号（GPS : Global Positioning System）を受信する受信部、情報を表示する表示部、音声を出力する音声出力部、乗員の操作を受付ける操作部等（不図示）を備える。ナビゲーション装置１１７は、受信部にて受信したＧＰＳ信号等の情報に基づき、表示部に各種情報を表示し、音声出力部から音声を出力することにより、乗員に対してナビゲーション情報を提供する。また、ナビゲーション装置１１７は、ＧＰＳ信号により得られる車両Ｃの現在位置情報や、車両Ｃの経路情報等を必要に応じてワイパ駆動制御装置１００へ出力する。
【００４８】
車内カメラ１１８は、車両Ｃの車内を撮像する撮像装置である。車内カメラ１１８は、運転者を含む乗員を撮像できるように車内の適所に設置されており、撮像して得られる映像データをワイパ駆動制御装置１００へ出力する。
【００４９】
車外カメラ１１９は、車両Ｃの周辺を撮像する撮像装置である。車外カメラ１１９は、車両Ｃの前方、側方、後方等を撮像できるように車両Ｃの適所に設置されており、撮像して得られる映像データをワイパ駆動制御装置１００へ出力する。
【００５０】
出力部１０４は、各種機器を接続するための出力インタフェースを備え、接続された各種機器へ制御部１０１からの制御信号を出力する。出力部１０４には、例えば、ワイパ駆動装置１３１、表示装置１３２、音声出力装置１３３等が接続される。
【００５１】
ワイパ駆動装置１３１は、ワイパ１３０を往復運動させるモータ又はアクチュエータ、及びモータ又はアクチュエータを作動させるための駆動電圧を出力する駆動回路等を備える。ワイパ駆動装置１３１は、出力部１０４を通じて出力される制御部１０１からの制御信号に基づき、駆動回路から駆動電圧を出力し、モータ又はアクチュエータを作動させることにより、ワイパ１３０を駆動する。
【００５２】
表示装置１３２は、車両Ｃの乗員に対して報知すべき情報を表示する液晶ディスプレイ装置、有機ＥＬディスプレイ、ＭＩＤ（Multi Information Display）等の装置である。表示装置１３２は、出力部１０４を通じて出力される制御部１０１からの情報を表示する。
【００５３】
音声出力装置１３３は、車両Ｃの乗員に対して報知すべき情報を音声により出力するスピーカ等の装置である。音声出力装置１３３は、出力部１０４を通じて出力される制御部１０１からの音声に基づき、音声を出力する。
【００５４】
車内通信部１０５は、例えばＣＡＮ（Controller Area Network）通信インタフェースを備える。車内通信部１０５は、ＣＡＮなどの車内通信回線を介して、車両Ｃに設けられた各種ＥＣＵ（Electronic Control Unit）と通信可能に接続されており、ＣＡＮプロトコルなどのプロトコルに従って各種ＥＣＵと情報の送受信を行う。
【００５５】
車外通信部１０６は、道路周辺に設置されたビーコン又は路側機などの車外の通信装置と通信するための通信装置であり、例えば、信号機の灯色に係る情報、走行経路上の交通流に係る情報等を取得する。なお、車外通信部１０６は、車両Ｃの乗員が所持するスマートフォンなどの携帯型通信端末を介して、外部の通信装置と通信を行うものであってもよい。
【００５６】
なお、図２に示した構成例では、各種スイッチ、センサ、機器等を入力部１０３に接続し、入力部１０３に接続された各種スイッチ、センサ、機器等から出力される情報を入力部１０３にて取得する構成としたが、一部のスイッチ、センサ、機器をＥＣＵに接続し、車内通信部１０５とＥＣＵとの間で通信を行うことにより、スイッチ、センサ、機器から出力される情報を取得する構成としてもよい。
【００５７】
以下、ワイパ駆動制御装置１００の動作について説明する。
図４は実施の形態１に係るワイパ駆動制御装置１００が実行する処理の手順を説明するフローチャートである。ワイパ駆動制御装置１００は、図に示していないイグニッションスイッチがオンである場合、例えば定期的なタイミングで以下の処理を実行する。制御部１０１は、入力部１０３を通じて入力されるワイパスイッチ１１１の操作情報に基づき、ワイパ１３０の駆動モードに関してオートモードが設定されているか否かを判断する（ステップＳ１０１）。オートモードが設定されていない場合（Ｓ１０１：ＮＯ）、制御部１０１は、以下の処理を実行することなく、本フローチャートによる処理を終了する。
【００５８】
オートモードが設定されている場合（Ｓ１０１：ＹＥＳ）、制御部１０１は、入力部１０３を通じて入力される車速センサ１１４からの車速に基づき、車両Ｃの車速が所定速度以下であるか否かを判断する（ステップＳ１０２）。車両Ｃの車速が所定速度より高い場合（Ｓ１０２：ＮＯ）、制御部１０１は、以下の処理を実行することなく、本フローチャートによる処理を終了する。
【００５９】
車両Ｃの車速が所定速度以下であると判断した場合（Ｓ１０２：ＹＥＳ）、制御部１０１は、車両Ｃが左折又は右折する可能性を判断する（ステップＳ１０３）。例えば、制御部１０１は、入力部１０３を通じて入力されるウインカスイッチ１１５の操作情報に基づき、左右何れかのウインカが点灯したことを検知した場合、車両Ｃが左折又は右折する可能性があると判断することができる。
【００６０】
また、制御部１０１は、入力部１０３を通じて操舵角センサ１１６から操舵角の情報を取得し、操舵角が設定された閾値以上となった場合、車両Ｃが左折又は右折する可能性があると判断してもよい。
【００６１】
更に、制御部１０１は、入力部１０３を通じてナビゲーション装置１１７から車両Ｃの位置情報及び走行予定経路の情報を取得し、これらの位置情報及び走行予定経路の情報に基づき、車両Ｃが左折又は右折する可能性があるか否かを判断してもよい。
【００６２】
更に、制御部１０１は、入力部１０３を通じて入力される車内カメラ１１８からの画像情報に基づき、車両Ｃに乗車している乗員（運転者）の行動情報を取得し、取得した行動情報により車両Ｃの左折又は右折の可能性を判断してもよい。例えば、取得した行動情報がウインカスイッチ１１５を操作する行動、ステアリングホイールを所定角度以上回動させる行動を示す場合、車両Ｃが左折又は右折する可能性があると判断することができる。
【００６３】
更に、制御部１０１は、入力部１０３を通じて入力される車外カメラ１１９からの画像情報に基づき、例えば左折レーン又は右折レーンの走行を検知した場合、車両Ｃが左折又は右折する可能性があると判断してもよい。
【００６４】
車両Ｃが左折又は右折する可能性がないと判断した場合（Ｓ１０３：ＮＯ）、制御部１０１は、以下の処理を実行することなく、本フローチャートによる処理を終了する。
【００６５】
車両Ｃが左折又は右折する可能性があると判断した場合（Ｓ１０３：ＹＥＳ）、制御部１０１は、レインセンサ１１３の感度調整を行う（ステップＳ１０４）。例えば、制御部１０１は、感度設定スイッチ１１２により設定されている現行感度に対し、調整後の感度が現行感度よりも設定値だけ高くなるように、感度調整を行ってもよい。また、調整後の感度を目標値として予め設定しておき、現行感度が目標値よりも低い場合、レインセンサ１１３の感度を目標値に変更することより、感度調整を行ってもよい。なお、制御部１０１は、感度調整によりレインセンサ１１３の感度を変更する場合、変更前の感度（すなわち、感度設定スイッチ１１２により設定された感度）を記憶部１０２に記憶させる。また、制御部１０１は、感度を変更した旨の情報を出力部１０４から出力し、表示装置１３２にその旨の情報を表示させる処理、又は音声出力装置１３３から音声として出力させる処理を実行する。
【００６６】
次いで、制御部１０１は、感度調整を解除するか否かを判断する（ステップＳ１０５）。例えば、車両Ｃの左折又は右折が完了した場合、制御部１０１は、感度調整を解除すると判断する。また、ステップＳ１０３の判断で、車両Ｃが左折又は右折する可能性があると判断したにも関わらず、車両 Ｃが直進を継続している場合、感度調整を解除すると判断してもよい。感度調整を解除しないと判断した場合（Ｓ１０５：ＮＯ）、制御部１０１は、感度調整の解除条件が成立するまで待機する。
【００６７】
感度調整を解除すると判断した場合（Ｓ１０５：ＹＥＳ）、制御部１０１は、記憶させた変更前の感度を記憶部１０２から読み出して、レインセンサ１１３の感度を変更前の感度に戻す処理を実行し（ステップＳ１０６）、本フローチャートによる処理を終了する。
【００６８】
以上のように、実施の形態１では、車両Ｃが左折又は右折する可能性がある場合、レインセンサ１１３の感度を一時的に高くする感度調整を行う。この結果、レインセンサ１１３により雨滴が検知され易くなるので、雨が降り始めた際のワイパ１３０の駆動開始タイミングを早めることができる。また、ワイパ１３０の駆動モードに関してオートモードが選択されている場合、レインセンサ１１３により検知される雨滴量が多くなる程、より払拭頻度が高い払拭レベルを選択してワイパ１３０の駆動を行うので、車両Ｃの左折時又は右折時においてフロントウインドを払拭する回数を増やすことができ、車両前方の視野を確保することができる。
【００６９】
（実施の形態２）
実施の形態２では、レインセンサ１１３により雨滴が検知されない場合、感度調整を行わない構成について説明する。
なお、ワイパ駆動制御装置１００の内部構成については実施の形態１と同様であるため、その説明を省略することとする。
【００７０】
図５は実施の形態２に係るワイパ駆動制御装置１００が実行する処理の手順を説明するフローチャートである。ワイパ駆動制御装置１００は、図に示していないイグニッションスイッチがオンである場合、例えば定期的なタイミングで以下の処理を実行する。制御部１０１は、入力部１０３を通じて入力されるワイパスイッチ１１１の操作情報に基づき、ワイパ１３０の駆動モードに関してオートモードが設定されているか否かを判断する（ステップＳ１０１）。オートモードが設定されていない場合（Ｓ１０１：ＮＯ）、制御部１０１は、以下の処理を実行することなく、本フローチャートによる処理を終了する。
【００７１】
オートモードが設定されている場合（Ｓ１０１：ＹＥＳ）、制御部１０１は、入力部１０３を通じて入力されるレインセンサ１１３からの検知結果に基づき、レインセンサ１１３が雨滴を検知したか否かを判断する（ステップＳ１１０）。制御部１０１は、レインセンサ１１３によって検知された雨滴量がゼロである場合、雨滴を検知していないと判断し、検知された雨滴量がゼロでない場合、雨滴を検知したと判断する。
【００７２】
雨滴を検知していないと判断した場合（Ｓ１１０：ＮＯ）、制御部１０１は、ワイパ１３０を駆動する必要がないため、感度調整を実行することなく、本フローチャートによる処理を終了する。
【００７３】
一方、雨滴を検知したと判断した場合（Ｓ１１０：ＹＥＳ）、制御部１０１は、実施の形態１で説明したステップＳ１０２以降の処理を実行し、車速が所定速度以下、かつ車両Ｃが左折又は右折する可能性がある場合、レインセンサ１１３の感度調整を行う。
【００７４】
以上のように、実施の形態２では、雨滴が検知されず、ワイパ１３０を駆動する必要がない状況下では、レインセンサ１１３の感度調整を行わないので、乗員が意図していないタイミングでワイパ１３０が動作することを抑えることができる。
【００７５】
（実施の形態３）
実施の形態３では、外部から得られる交通情報に基づき、レインセンサ１１３の感度調整を行うか否かを決定する構成について説明する。
なお、ワイパ駆動制御装置１００の内部構成については実施の形態１と同様であるため、その説明を省略することとする。
【００７６】
図６は実施の形態３に係るワイパ駆動制御装置１００の動作を説明する説明図である。実施の形態３では、インフラ側の構成として、交差点などに設置され、所定エリアを通過する車両や歩行者等の移動体Ｐの存在を検知する検知装置２０１、及び検知装置２０１により検知された移動体Ｐの情報を外部へ送信する路側通信装置２０２を備える。
【００７７】
検知装置２０１は、例えば撮像装置を用いて交差点付近を撮像し、得られた撮像画像と、予め撮像された背景画像との差分を算出することにより、移動体Ｐの存在を検知する。更に、撮像装置と測距センサとを組み合わせて、移動体の存在を検知すると共に、移動体Ｐの位置を検知してもよい。また、検知装置２０１は、交差点の適宜箇所に埋設された圧力センサを備えるものであっても良い。圧力センサによって所定範囲の圧力を検出した場合、検知装置２０１は、移動体Ｐが交差点の前記適宜箇所に存在しているものとして、移動体Ｐの存在及び位置に係る情報を路側通信装置２０２へ出力する。
【００７８】
路側通信装置２０２は、車両Ｃに搭載された通信装置（例えばワイパ駆動制御装置１００が備える車外通信部１０６）と無線通信を行う無線通信装置であり、検知装置２０１と同様に交差点の適宜箇所に設置される。路側通信装置２０２は、例えばＩＥＥＥ８０２．１１ｐをベースとした所定の通信プロトコルに従って無線通信を行う。路側通信装置２０２と車両Ｃに搭載された通信装置との間の無線通信で用いる周波数帯域は特に限定されるものではないが、例えば５．９ＧＨｚ帯、７００ＭＨｚ帯の周波数を用いることができる。
【００７９】
路側通信装置２０２には、前述の検知装置２０１が有線又は無線により接続されている。路側通信装置２０２は、検知装置２０１により検知された移動体Ｐの情報を取得し、取得した移動体Ｐの情報を外部へ送信する。また、路側通信装置２０２は、交差点に設置されている信号機の灯色に係る情報を取得し、取得した信号機の灯色に係る情報を外部へ送信する。これらの情報は、車両Ｃが交差点付近（車両Ｃが路側通信装置２０２と通信可能な路車情報エリア内）に存在する場合、当該車両Ｃに搭載された通信装置によって受信される。
【００８０】
本実施の形態では、車両Ｃが左折又は右折する際に、路側通信装置２０２から送信される路車情報エリア内の交通流に係る情報、信号機の灯色情報等の交通情報を受信した場合、ワイパ駆動制御装置１００は、受信した交通情報に基づき、レインセンサ１１３の感度を調整するか否かの判断を行う。
【００８１】
図７は実施の形態３に係るワイパ駆動制御装置１００が実行する処理の手順を説明するフローチャートである。ワイパ駆動制御装置１００は、図に示していないイグニッションスイッチがオンである場合、例えば定期的なタイミングで以下の処理を実行する。制御部１０１は、実施の形態１と同様の手順にて、ワイパ１３０の駆動モードに関してオートモードが設定されているか否か、及び車速が所定速度以下であるか否かを判断する（ステップＳ２０１〜Ｓ２０２）。オートモードが設定されていない場合（Ｓ２０１：ＮＯ）、又は車速が所定速度以下でない場合（Ｓ２０２：ＮＯ）、制御部１０１は、本フローチャートによる処理を終了する。
【００８２】
オートモードが設定されており（Ｓ２０１：ＹＥＳ）、かつ車速が所定速度以下であると判断した場合（Ｓ２０２：ＹＥＳ）、制御部１０１は、車外通信部１０６を通じて受信した路側通信装置２０２からの交通情報に基づき、車両Ｃの進行方向における信号機の灯色が青色であるか否かを判断する（ステップＳ２０３）。
【００８３】
信号機の灯色が青色でないと判断した場合（Ｓ２０３：ＮＯ）、視野の確保が必要な状況ではないため、レインセンサ１１３の感度調整によりワイパ１３０の払拭頻度を高くする制御が不要であり、制御部１０１は、以下の処理を実行することなく、本フローチャートによる処理を終了する。
【００８４】
信号機の灯色が青色であると判断した場合（Ｓ２０３：ＹＥＳ）、制御部１０１は、車両Ｃが左折又は右折する可能性を判断する（ステップＳ２０４）。制御部１０１は、実施の形態１で説明したように、ウインカスイッチ１１５の操作情報、操舵角センサ１１６により検知される操舵角、ナビゲーション装置１１７から得られる車両Ｃの位置情報及び走行予定経路の情報、車内カメラ１１８又は車外カメラ１１９から得られる画像情報等に基づき、車両Ｃが左折又は右折する可能性があるか否かを判断することができる。
【００８５】
車両Ｃが左折又は右折する可能性がないと判断した場合（Ｓ２０４：ＮＯ）、制御部１０１は、以下の処理を実行することなく、本フローチャートによる処理を終了する。
【００８６】
車両Ｃが左折又は右折する可能性があると判断した場合（Ｓ２０４：ＹＥＳ）、制御部１０１は、車外通信部１０６を通じて受信した路側通信装置２０２からの交通情報に基づき、車両Ｃの進行方向における交通流の多少を判定し、交通流がビジーであるか否かを判断する（ステップＳ２０５）。例えば、検知装置２０１が路車情報エリア内で１又は複数の移動体Ｐを検知した旨の情報を路側通信装置２０２から受信した場合、交通流がビジーであると判断してもよい。
【００８７】
交通流がビジーでないと判断した場合（Ｓ２０５：ＮＯ）、制御部１０１は、以下の処理を実行することなく本フローチャートによる処理を終了する。
【００８８】
交通流がビジーであると判断した場合（Ｓ２０５：ＹＥＳ）、制御部１０１は、実施の形態１と同様に、レインセンサ１１３の感度を調整して（ステップＳ２０６）、一時的にワイパ１３０の払拭頻度を高くする制御を行う。制御部１０１は、調整を解除すべき条件が成立したか否かを判断し（ステップＳ２０７）、調整を解除すべき条件が成立していない場合（Ｓ２０７：ＮＯ）、成立するまで待機する。調整を解除すべき条件が成立した場合（Ｓ２０７：ＹＥＳ）、レインセンサ１１３の感度を元に戻す処理を実行する（ステップＳ２０８）。
【００８９】
以上のように、実施の形態３では、信号機が設けられた交差点を車両Ｃが左折又は右折する可能性がある場合、レインセンサ１１３の感度を一時的に高くする感度調整を行う。この結果、レインセンサ１１３により雨滴が検知され易くなるので、雨が降り始めた際のワイパ１３０の駆動開始タイミングを早めることができる。また、ワイパ１３０の駆動モードに関してオートモードが選択されている場合、レインセンサ１１３により検知される雨滴量が多くなる程、より払拭頻度が高い払拭レベルを選択してワイパ１３０の駆動を行うので、車両Ｃの左折時又は右折時においてフロントウインドを払拭する回数を増やすことができ、車両前方の視野を確保することができる。
【００９０】
今回開示された実施の形態は、全ての点で例示であって、制限的なものではないと考えられるべきである。本発明の範囲は、上述した意味ではなく、特許請求の範囲によって示され、特許請求の範囲と均等の意味及び範囲内での全ての変更が含まれることが意図される。
【符号の説明】
【００９１】
１００  ワイパ駆動制御装置
１０１  制御部（判断部、感度変更部、選択部）
１０２  記憶部
１０３  入力部（走行情報取得部、画像取得部、行動情報取得部）
１０４  出力部
１０５  車内通信部
１０６  車外通信部（交通情報取得部）
１１１  ワイパスイッチ
１１２  感度設定スイッチ
１１３  レインセンサ（検知センサ）
１１４  車速センサ
１１５  ウインカスイッチ
１１６  操舵角センサ
１１７  ナビゲーション装置
１１８  車内カメラ
１１９  車外カメラ
１３０  ワイパ
１３１  ワイパ駆動装置
１３２  表示装置
１３３  音声出力装置
Ｃ  車両
Ｐ  移動体
【図１】
2018127063.tif 000003
【図２】
2018127063.tif 000004
【図３】
2018127063.tif 000005
【図４】
2018127063.tif 000006
【図５】
2018127063.tif 000007
【図６】
2018127063.tif 000008
【図７】
2018127063.tif 000009